(57)【要約】【課題】音声認識／応答型機能を利用して音声により携帯電話の機能を実現する音声認識／応答型携帯電話、携帯電話の操作方法、及び携帯電話の操作プログラムを提供する。【解決手段】利用者からの音声を受話部３２に受けると、ＣＰＵ２１は受話部３２で受けた音声を音声パターン格納メモリ２５内に格納されている音声パターンデータに照らし合わせ、解読する。利用者から入力された音声の解読に成功し、選択された相手先を特定できた場合、ＣＰＵ２１は電話帳データ３５において該相手先と関連付けて登録されて発信番号を読み出し、読み出した発信番号へダイヤルする。該発信番号への発信が完了すると、誤動作を防止するため、ＣＰＵ２１は入力操作変更キーによる変更を待たずに音声操作からキー操作へ入力操作の方法が変更される。その際、ＣＰＵ２１は、入力操作の方法が変更された旨を表示部３０に表示して利用者に通知する。【選択図】図１
2008053937.tif 000002
【特許請求の範囲】
【請求項１】
利用者からの音声を受ける受話手段と、
前記受話手段で受けた音声を解読する解読手段と、
所定の音声と該所定の音声に対応して実行する機能とを関連付けて記憶する音声パターン格納手段とを有し、
前記解読手段で解読された音声と前記音声パターン格納手段に格納された前記所定の音声とが一致したとき、該所定の音声と関連付けて記憶される機能を実行することを特徴とする音声認識／応答型携帯電話。
【請求項２】
前記音声パターン格納手段は、発信番号に係る音声と相手先へ発信する電話発信機能とを関連付けて記憶し、
前記解読手段によって解読された音声が前記発信番号であったとき、該発信番号へ発信することを特徴とする請求項１記載の音声認識／応答型携帯電話。
【請求項３】
相手先名と前記発信番号とを関連付けて登録する電話帳データ格納手段を有し、
前記音声パターン格納手段は、前記相手先名に係る音声と前記電話発信機能とを関連付けて記憶し、
前記解読手段によって解読された音声が前記相手先名であったとき、前記電話帳データ格納手段から該相手先名と関連付けて登録された前記発信番号を読み出し、該発信番号へ発信することを特徴とする請求項２記載の音声認識／応答型携帯電話。
【請求項４】
前記電話帳データ格納手段は、前記発信番号ごとに固有の登録番号を付して登録し、
前記音声パターン格納手段は、前記登録番号に係る音声と前記電話発信機能とを関連付けて記憶し、
前記解読手段によって解読された音声が前記相手先名であり、かつ前記電話帳データ格納手段に該相手先名と一致する前記相手先名が複数あるとき、利用者に前記登録番号の入力を要求し、
前記受話手段によって利用者からの音声を受け、前記解読手段によって解読された音声が前記登録番号であったとき、前記電話帳データ格納手段から該登録番号が付された前記発信番号を読み出し、該発信番号へ発信することを特徴とする請求項３記載の音声認識／応答型携帯電話。
【請求項５】
前記音声パターン格納手段は、メールの作成・編集に係る音声とメール作成・編集機能とを関連付けて記憶し、
前記解読手段によって解読された音声が前記メールの作成・編集に係る音声であったとき、音声によるメールの作成・編集を受け付けることを特徴とする請求項１から４のいずれか１項記載の音声認識／応答型携帯電話。
【請求項６】
前記メールの作成内容・編集内容を表示する表示手段を有し、
前記解読手段によって解読された音声によるメールの作成内容・編集内容を前記表示手段に反映させることを特徴とする請求項５記載の音声認識／応答型携帯電話。
【請求項７】
前記音声パターン格納手段は、メールの送信及び破棄に係る音声とメールの送信・破棄機能とを関連付けて記憶し、
前記解読手段によって解読された音声が前記メールの送信・破棄に係る音声であったとき、前記音声によるメールの送信・破棄を受け付けることを特徴とする請求項５又は６記載の音声認識／応答型携帯電話。
【請求項８】
前記音声パターン格納手段は、メールの閲覧に係る音声とメール閲覧機能とを関連付けて記憶し、
前記解読手段によって解読された音声が前記メールの閲覧に係る音声であったとき、音声によるメールの閲覧を受け付けることを特徴とする請求項１から７のいずれか１項記載の音声認識／応答型携帯電話。
【請求項９】
前記音声パターン格納手段は、受信メール及び送信メールに係る音声と前記メール閲覧機能とを関連付けて記憶し、
前記解読手段によって解読された音声が前記受信メール又は前記送信メールであったとき、該受信メール又は該送信メールの一覧を表示して閲覧する送信メールの選択を要求し、選択された該受信メール又は該送信メールの閲覧を受け付けることを特徴とする請求項８記載の音声認識／応答型携帯電話。
【請求項１０】
前記音声パターン格納手段は、既読の受信メール又は未読の受信メールに係る音声と前記メール閲覧機能とを関連付けて記憶し、
前記解読手段によって解読された音声が前記未読の受信メールであったとき、古い受信メールから順に該受信メールの閲覧を受け付けることを特徴とする請求項９記載の音声認識／応答型携帯電話。
【請求項１１】
利用者へ音声を出力するスピーカ部を有し、
閲覧を受け付けたメールの内容を前記スピーカ部から出力することを特徴とする請求項８から１０のいずれか１項記載の音声認識／応答型携帯電話。
【請求項１２】
利用者からの音声を受ける受話手段と、所定の音声と該所定の音声に対応して実行する機能とを関連付けて記憶する音声パターン格納手段とを有する音声認識／応答型携帯電話の操作方法において、
前記受話手段で受けた音声を解読する解読工程と、
前記解読工程で解読された音声と前記音声パターン格納手段に格納された前記所定の音声とが一致したとき、該所定の音声と関連付けて記憶される機能を実行する工程とを有することを特徴とする音声認識／応答型携帯電話の操作方法。
【請求項１３】
前記音声パターン格納手段は、発信番号に係る音声と相手先へ発信する電話発信機能とを関連付けて記憶し、
前記解読工程によって解読された音声が前記発信番号であったとき、該発信番号へ発信する工程を有することを特徴とする請求項１２記載の音声認識／応答型携帯電話の操作方法。
【請求項１４】
前記音声認識／応答型携帯電話は、相手先名と前記発信番号とを関連付けて登録する電話帳データ格納手段を有し、
前記音声パターン格納手段は、前記相手先名に係る音声と前記電話発信機能とを関連付けて記憶し、
前記解読工程によって解読された音声が前記相手先名であったとき、前記電話帳データ格納手段から該相手先名と関連付けて登録された前記発信番号を読み出し、該発信番号へ発信する工程を有することを特徴とする請求項１３記載の音声認識／応答型携帯電話の操作方法。
【請求項１５】
前記電話帳データ格納手段は、前記発信番号ごとに固有の登録番号を付して登録し、
前記音声パターン格納手段は、前記登録番号に係る音声と前記電話発信機能とを関連付けて記憶し、
前記解読工程によって解読された音声が前記相手先名であり、かつ前記電話帳データ格納手段に該相手先名と一致する前記相手先名が複数あるとき、利用者に前記登録番号の入力を要求する工程と、
前記受話手段によって利用者からの音声を受け、前記解読工程によって解読された音声が前記登録番号であったとき、前記電話帳データ格納手段から該登録番号が付された前記発信番号を読み出し、該発信番号へ発信する工程を有することを特徴とする請求項１４記載の音声認識／応答型携帯電話の操作方法。
【請求項１６】
前記音声パターン格納手段は、メールの作成・編集に係る音声とメール作成・編集機能とを関連付けて記憶し、
前記解読工程によって解読された音声が前記メールの作成・編集に係る音声であったとき、音声によるメールの作成・編集を受け付ける工程を有することを特徴とする請求項１２から１５のいずれか１項記載の音声認識／応答型携帯電話の操作方法。
【請求項１７】
音声認識／応答型携帯電話は、前記メールの作成内容・編集内容を表示する表示手段を有し、
前記解読工程によって解読された音声によるメールの作成内容・編集内容を前記表示手段に反映させる工程を有することを特徴とする請求項１６記載の音声認識／応答型携帯電話の操作方法。
【請求項１８】
前記音声パターン格納手段は、メールの送信及び破棄に係る音声とメールの送信・破棄機能とを関連付けて記憶し、
前記解読工程によって解読された音声が前記メールの送信・破棄に係る音声であったとき、前記音声によるメールの送信・破棄を受け付ける工程を有することを特徴とする請求項１６又は１７記載の音声認識／応答型携帯電話の操作方法。
【請求項１９】
前記音声パターン格納手段は、メールの閲覧に係る音声とメール閲覧機能とを関連付けて記憶し、
前記解読工程によって解読された音声が前記メールの閲覧に係る音声であったとき、音声によるメールの閲覧を受け付ける工程を有することを特徴とする請求項１２から１８のいずれか１項記載の音声認識／応答型携帯電話の操作方法。
【請求項２０】
前記音声パターン格納手段は、受信メール及び送信メールに係る音声と前記メール閲覧機能とを関連付けて記憶し、
前記解読工程によって解読された音声が前記受信メール又は前記送信メールであったとき、該受信メール又は該送信メールの一覧を表示して閲覧する送信メールの選択を要求し、選択された該受信メール又は該送信メールの閲覧を受け付ける工程を有することを特徴とする請求項１９記載の音声認識／応答型携帯電話の操作方法。
【請求項２１】
前記音声パターン格納手段は、既読の受信メール又は未読の受信メールに係る音声と前記メール閲覧機能とを関連付けて記憶し、
前記解読工程によって解読された音声が前記未読の受信メールであったとき、古い受信メールから順に該受信メールの閲覧を受け付ける工程を有することを特徴とする請求項２０記載の音声認識／応答型携帯電話の操作方法。
【請求項２２】
前記音声認識／応答型携帯電話は、利用者へ音声を出力するスピーカ部を有し、
閲覧を受け付けたメールの内容を前記スピーカ部から出力する工程を有することを特徴とする請求項１９から２１のいずれか１項記載の音声認識／応答型携帯電話の操作方法。
【請求項２３】
利用者からの音声を受ける受話手段と、所定の音声と該所定の音声に対応して実行する機能とを関連付けて記憶する音声パターン格納手段とを有する音声認識／応答型携帯電話の操作プログラムにおいて、
前記受話手段で受けた音声を解読する解読処理と、
前記解読処理で解読された音声と前記音声パターン格納手段に格納された前記所定の音声とが一致したとき、該所定の音声と関連付けて記憶される機能を実行する処理とを有することを特徴とする音声認識／応答型携帯電話の操作プログラム。
【請求項２４】
前記音声パターン格納手段は、発信番号に係る音声と相手先へ発信する電話発信機能とを関連付けて記憶し、
前記解読処理によって解読された音声が前記発信番号であったとき、該発信番号へ発信する処理を有することを特徴とする請求項２３記載の音声認識／応答型携帯電話の操作プログラム。
【請求項２５】
前記音声認識／応答型携帯電話は、相手先名と前記発信番号とを関連付けて登録する電話帳データ格納手段を有し、
前記音声パターン格納手段は、前記相手先名に係る音声と前記電話発信機能とを関連付けて記憶し、
前記解読処理によって解読された音声が前記相手先名であったとき、前記電話帳データ格納手段から該相手先名と関連付けて登録された前記発信番号を読み出し、該発信番号へ発信する処理を有することを特徴とする請求項２４記載の音声認識／応答型携帯電話の操作プログラム。
【請求項２６】
前記電話帳データ格納手段は、前記発信番号ごとに固有の登録番号を付して登録し、
前記音声パターン格納手段は、前記登録番号に係る音声と前記電話発信機能とを関連付けて記憶し、
前記解読処理によって解読された音声が前記相手先名であり、かつ前記電話帳データ格納手段に該相手先名と一致する前記相手先名が複数あるとき、利用者に前記登録番号の入力を要求する処理と、
前記受話手段によって利用者からの音声を受け、前記解読処理によって解読された音声が前記登録番号であったとき、前記電話帳データ格納手段から該登録番号が付された前記発信番号を読み出し、該発信番号へ発信する処理を有することを特徴とする請求項２５記載の音声認識／応答型携帯電話の操作プログラム。
【請求項２７】
前記音声パターン格納手段は、メールの作成・編集に係る音声とメール作成・編集機能とを関連付けて記憶し、
前記解読処理によって解読された音声が前記メールの作成・編集に係る音声であったとき、音声によるメールの作成・編集を受け付ける処理を有することを特徴とする請求項２３から２６のいずれか１項記載の音声認識／応答型携帯電話の操作プログラム。
【請求項２８】
音声認識／応答型携帯電話は、前記メールの作成内容・編集内容を表示する表示手段を有し、
前記解読処理によって解読された音声によるメールの作成内容・編集内容を前記表示手段に反映させる処理を有することを特徴とする請求項２７記載の音声認識／応答型携帯電話の操作プログラム。
【請求項２９】
前記音声パターン格納手段は、メールの送信及び破棄に係る音声とメールの送信・破棄機能とを関連付けて記憶し、
前記解読処理によって解読された音声が前記メールの送信・破棄に係る音声であったとき、前記音声によるメールの送信・破棄を受け付ける処理を有することを特徴とする請求項２７又は２８記載の音声認識／応答型携帯電話の操作プログラム。
【請求項３０】
前記音声パターン格納手段は、メールの閲覧に係る音声とメール閲覧機能とを関連付けて記憶し、
前記解読処理によって解読された音声が前記メールの閲覧に係る音声であったとき、音声によるメールの閲覧を受け付ける処理を有することを特徴とする請求項２３から２９のいずれか１項記載の音声認識／応答型携帯電話の操作プログラム。
【請求項３１】
前記音声パターン格納手段は、受信メール及び送信メールに係る音声と前記メール閲覧機能とを関連付けて記憶し、
前記解読処理によって解読された音声が前記受信メール又は前記送信メールであったとき、該受信メール又は該送信メールの一覧を表示して閲覧する送信メールの選択を要求し、選択された該受信メール又は該送信メールの閲覧を受け付ける処理を有することを特徴とする請求項３０記載の音声認識／応答型携帯電話の操作プログラム。
【請求項３２】
前記音声パターン格納手段は、既読の受信メール又は未読の受信メールに係る音声と前記メール閲覧機能とを関連付けて記憶し、
前記解読処理によって解読された音声が前記未読の受信メールであったとき、古い受信メールから順に該受信メールの閲覧を受け付ける処理を有することを特徴とする請求項３１記載の音声認識／応答型携帯電話の操作プログラム。
【請求項３３】
前記音声認識／応答型携帯電話は、利用者へ音声を出力するスピーカ部を有し、
閲覧を受け付けたメールの内容を前記スピーカ部から出力する処理を有することを特徴とする請求項２３から３２のいずれか１項記載の音声認識／応答型携帯電話の操作プログラム。
【発明の詳細な説明】
【技術分野】
【０００１】
本発明は、音声認識／応答型携帯電話、携帯電話の操作方法、及び携帯電話の操作プログラムに関し、特に、音声認識／応答型機能を利用して音声により携帯電話の機能を実現する音声認識／応答型携帯電話、携帯電話の操作方法、及び携帯電話の操作プログラムに関する。
【背景技術】
【０００２】
近年、携帯電話の機能は多機能化・小型化が進んでいる。しかし、携帯電話が有するその殆どの機能の操作方法は、従来と変わらず、液晶画面等を見ながらキー操作にて各種操作を行い、その操作結果もまた液晶画面等で確認していた。
【０００３】
特許文献１では、ブラウザによってＵＲＬの情報を閲覧することができる携帯電話機において、携帯電話機が待ち受け中にあるとき、ブラウザ機能キーを押し、次いで音声入力キーを操作して音声によるＵＲＬの呼出し可能状態となし、音声によるＵＲＬの呼出しがなされた場合に登録されているＵＲＬと一致判定を行い、一致した場合にＵＲＬの音声呼出しを行うようにした携帯電話機におけるＵＲＬの音声呼出方法としたものであり、この構成により、簡単なキー操作で音声によるＵＲＬの呼出しが可能となる携帯電話機におけるＵＲＬの音声呼出方法及び該音声呼出方法を用いた携帯電話機が提案されている。
【０００４】
特許文献２では、音声認識機能を有する携帯電話機において、使用者が音声を入力することによって着信履歴及び発信履歴を参照できる携帯電話機が提案されている。
【特許文献１】特開２０００−２４５０６５号公報
【特許文献２】特開平１１−２７５６５１号公報
【発明の開示】
【発明が解決しようとする課題】
【０００５】
しかし、上記の発明は以下の問題を有している。
【０００６】
従来の携帯電話は、コンパクトに設計されているため、操作を行うキーも小さくなっており、また液晶画面の文字の大きさもそれほど大きく表示できないことから、「わずらわしい」「複雑である」「操作が難しすぎて取り扱えない」「画面が見にくいことによる、操作誤り／操作結果の確認ができない」等の問題点があった。
【０００７】
また、特許文献１記載の携帯電話機におけるＵＲＬの音声呼出方法及び該音声呼出方法を用いた携帯電話機は、利用者が音声によってＵＲＬを入力することにより、ＵＲＬの呼出しを可能としているが、音声によって相手先への電話発信機能、メール送信機能等を操作することができない。
【０００８】
また、特許文献２記載の携帯電話機は、使用者が音声を入力することにより、着信履歴や発信履歴を閲覧することができるが、携帯電話機が有する機能を音声による操作することはできない。
【０００９】
そこで、本発明は、携帯電話の各種操作を従来の操作方法だけではなく、携帯電話の各種機能に係る操作（電話番号入力・電話帳設定／検索・携帯電話設定・メール文字入力や送信・閲覧）を音声により操作可能とし、また、その操作結果を音声により利用者に通知することにより、携帯電話の操作の容易化を図った音声認識／応答型携帯電話、携帯電話の操作方法、及び携帯電話の操作プログラムを提案することを目的としている。
【課題を解決するための手段】
【００１０】
請求項１記載の音声認識／応答型携帯電話は、利用者からの音声を受ける受話手段と、前記受話手段で受けた音声を解読する解読手段と、所定の音声と該所定の音声に対応して実行する機能とを関連付けて記憶する音声パターン格納手段とを有し、前記解読手段で解読された音声と前記音声パターン格納手段に格納された前記所定の音声とが一致したとき、該所定の音声と関連付けて記憶される機能を実行することを特徴とする。
【００１１】
請求項２記載の発明は、請求項１記載の音声認識／応答型携帯電話において、前記音声パターン格納手段は、発信番号に係る音声と相手先へ発信する電話発信機能とを関連付けて記憶し、前記解読手段によって解読された音声が前記発信番号であったとき、該発信番号へ発信することを特徴とする。
【００１２】
請求項３記載の発明は、請求項２記載の音声認識／応答型携帯電話において、相手先名と前記発信番号とを関連付けて登録する電話帳データ格納手段を有し、前記音声パターン格納手段は、前記相手先名に係る音声と前記電話発信機能とを関連付けて記憶し、前記解読手段によって解読された音声が前記相手先名であったとき、前記電話帳データ格納手段から該相手先名と関連付けて登録された前記発信番号を読み出し、該発信番号へ発信することを特徴とする。
【００１３】
請求項４記載の発明は、請求項３記載の音声認識／応答型携帯電話において、前記電話帳データ格納手段は、前記発信番号ごとに固有の登録番号を付して登録し、前記音声パターン格納手段は、前記登録番号に係る音声と前記電話発信機能とを関連付けて記憶し、前記解読手段によって解読された音声が前記相手先名であり、かつ前記電話帳データ格納手段に該相手先名と一致する前記相手先名が複数あるとき、利用者に前記登録番号の入力を要求し、前記受話手段によって利用者からの音声を受け、前記解読手段によって解読された音声が前記登録番号であったとき、前記電話帳データ格納手段から該登録番号が付された前記発信番号を読み出し、該発信番号へ発信することを特徴とする。
【００１４】
請求項５記載の発明は、請求項１から４のいずれか１項記載の音声認識／応答型携帯電話において、前記音声パターン格納手段は、メールの作成・編集に係る音声とメール作成・編集機能とを関連付けて記憶し、前記解読手段によって解読された音声が前記メールの作成・編集に係る音声であったとき、音声によるメールの作成・編集を受け付けることを特徴とする。
【００１５】
請求項６記載の発明は、請求項５記載の音声認識／応答型携帯電話において、前記メールの作成内容・編集内容を表示する表示手段を有し、前記解読手段によって解読された音声によるメールの作成内容・編集内容を前記表示手段に反映させることを特徴とする。
【００１６】
請求項７記載の発明は、請求項５又は６記載の音声認識／応答型携帯電話において、前記音声パターン格納手段は、メールの送信及び破棄に係る音声とメールの送信・破棄機能とを関連付けて記憶し、前記解読手段によって解読された音声が前記メールの送信・破棄に係る音声であったとき、前記音声によるメールの送信・破棄を受け付けることを特徴とする。
【００１７】
請求項８記載の発明は、請求項１から７のいずれか１項記載の音声認識／応答型携帯電話において、前記音声パターン格納手段は、メールの閲覧に係る音声とメール閲覧機能とを関連付けて記憶し、前記解読手段によって解読された音声が前記メールの閲覧に係る音声であったとき、音声によるメールの閲覧を受け付けることを特徴とする。
【００１８】
請求項９記載の発明は、請求項８記載の音声認識／応答型携帯電話において、前記音声パターン格納手段は、受信メール及び送信メールに係る音声と前記メール閲覧機能とを関連付けて記憶し、前記解読手段によって解読された音声が前記受信メール又は前記送信メールであったとき、該受信メール又は該送信メールの一覧を表示して閲覧する送信メールの選択を要求し、選択された該受信メール又は該送信メールの閲覧を受け付けることを特徴とする。
【００１９】
請求項１０記載の発明は、請求項９記載の音声認識／応答型携帯電話において、前記音声パターン格納手段は、既読の受信メール又は未読の受信メールに係る音声と前記メール閲覧機能とを関連付けて記憶し、前記解読手段によって解読された音声が前記未読の受信メールであったとき、古い受信メールから順に該受信メールの閲覧を受け付けることを特徴とする。
【００２０】
請求項１１記載の発明は、請求項８から１０のいずれか１項記載の音声認識／応答型携帯電話において、利用者へ音声を出力するスピーカ部を有し、閲覧を受け付けたメールの内容を前記スピーカ部から出力することを特徴とする。
【００２１】
請求項１２記載の発明は、利用者からの音声を受ける受話手段と、所定の音声と該所定の音声に対応して実行する機能とを関連付けて記憶する音声パターン格納手段とを有する音声認識／応答型携帯電話の操作方法において、前記受話手段で受けた音声を解読する解読工程と、前記解読工程で解読された音声と前記音声パターン格納手段に格納された前記所定の音声とが一致したとき、該所定の音声と関連付けて記憶される機能を実行する工程とを有することを特徴とする。
【００２２】
請求項１３記載の発明は、請求項１２記載の音声認識／応答型携帯電話の操作方法において、前記音声パターン格納手段は、発信番号に係る音声と相手先へ発信する電話発信機能とを関連付けて記憶し、前記解読工程によって解読された音声が前記発信番号であったとき、該発信番号へ発信する工程を有することを特徴とする。
【００２３】
請求項１４記載の発明は、請求項１３記載の音声認識／応答型携帯電話の操作方法において、前記音声認識／応答型携帯電話は、相手先名と前記発信番号とを関連付けて登録する電話帳データ格納手段を有し、前記音声パターン格納手段は、前記相手先名に係る音声と前記電話発信機能とを関連付けて記憶し、前記解読工程によって解読された音声が前記相手先名であったとき、前記電話帳データ格納手段から該相手先名と関連付けて登録された前記発信番号を読み出し、該発信番号へ発信する工程を有することを特徴とする。
【００２４】
請求項１５記載の発明は、請求項１４記載の音声認識／応答型携帯電話の操作方法において、前記電話帳データ格納手段は、前記発信番号ごとに固有の登録番号を付して登録し、前記音声パターン格納手段は、前記登録番号に係る音声と前記電話発信機能とを関連付けて記憶し、前記解読工程によって解読された音声が前記相手先名であり、かつ前記電話帳データ格納手段に該相手先名と一致する前記相手先名が複数あるとき、利用者に前記登録番号の入力を要求する工程と、前記受話手段によって利用者からの音声を受け、前記解読工程によって解読された音声が前記登録番号であったとき、前記電話帳データ格納手段から該登録番号が付された前記発信番号を読み出し、該発信番号へ発信する工程を有することを特徴とする。
【００２５】
請求項１６記載の発明は、請求項１２から１５のいずれか１項記載の音声認識／応答型携帯電話の操作方法において、前記音声パターン格納手段は、メールの作成・編集に係る音声とメール作成・編集機能とを関連付けて記憶し、前記解読工程によって解読された音声が前記メールの作成・編集に係る音声であったとき、音声によるメールの作成・編集を受け付ける工程を有することを特徴とする。
【００２６】
請求項１７記載の発明は、請求項１６記載の音声認識／応答型携帯電話の操作方法において、音声認識／応答型携帯電話は、前記メールの作成内容・編集内容を表示する表示手段を有し、前記解読工程によって解読された音声によるメールの作成内容・編集内容を前記表示手段に反映させる工程を有することを特徴とする。
【００２７】
請求項１８記載の発明は、請求項１６又は１７記載の音声認識／応答型携帯電話の操作方法において、前記音声パターン格納手段は、メールの送信及び破棄に係る音声とメールの送信・破棄機能とを関連付けて記憶し、前記解読工程によって解読された音声が前記メールの送信・破棄に係る音声であったとき、前記音声によるメールの送信・破棄を受け付ける工程を有することを特徴とする。
【００２８】
請求項１９記載の発明は、請求項１２から１８のいずれか１項記載の音声認識／応答型携帯電話の操作方法において、前記音声パターン格納手段は、メールの閲覧に係る音声とメール閲覧機能とを関連付けて記憶し、前記解読工程によって解読された音声が前記メールの閲覧に係る音声であったとき、音声によるメールの閲覧を受け付ける工程を有することを特徴とする。
【００２９】
請求項２０記載の発明は、請求項１９記載の音声認識／応答型携帯電話の操作方法において、前記音声パターン格納手段は、受信メール及び送信メールに係る音声と前記メール閲覧機能とを関連付けて記憶し、前記解読工程によって解読された音声が前記受信メール又は前記送信メールであったとき、該受信メール又は該送信メールの一覧を表示して閲覧する送信メールの選択を要求し、選択された該受信メール又は該送信メールの閲覧を受け付ける工程を有することを特徴とする。
【００３０】
請求項２１記載の発明は、請求項２０記載の音声認識／応答型携帯電話の操作方法において、前記音声パターン格納手段は、既読の受信メール又は未読の受信メールに係る音声と前記メール閲覧機能とを関連付けて記憶し、前記解読工程によって解読された音声が前記未読の受信メールであったとき、古い受信メールから順に該受信メールの閲覧を受け付ける工程を有することを特徴とする。
【００３１】
請求項２２記載の発明は、請求項１９から２１のいずれか１項記載の音声認識／応答型携帯電話の操作方法において、前記音声認識／応答型携帯電話は、利用者へ音声を出力するスピーカ部を有し、閲覧を受け付けたメールの内容を前記スピーカ部から出力する工程を有することを特徴とする。
【００３２】
請求項２３記載の発明は、利用者からの音声を受ける受話手段と、所定の音声と該所定の音声に対応して実行する機能とを関連付けて記憶する音声パターン格納手段とを有する音声認識／応答型携帯電話の操作プログラムにおいて、前記受話手段で受けた音声を解読する解読処理と、前記解読処理で解読された音声と前記音声パターン格納手段に格納された前記所定の音声とが一致したとき、該所定の音声と関連付けて記憶される機能を実行する処理とを有することを特徴とする。
【００３３】
請求項２４記載の発明は、請求項２３記載の音声認識／応答型携帯電話の操作プログラムにおいて、前記音声パターン格納手段は、発信番号に係る音声と相手先へ発信する電話発信機能とを関連付けて記憶し、前記解読処理によって解読された音声が前記発信番号であったとき、該発信番号へ発信する処理を有することを特徴とする。
【００３４】
請求項２５記載の発明は、請求項２４記載の音声認識／応答型携帯電話の操作プログラムにおいて、前記音声認識／応答型携帯電話は、相手先名と前記発信番号とを関連付けて登録する電話帳データ格納手段を有し、前記音声パターン格納手段は、前記相手先名に係る音声と前記電話発信機能とを関連付けて記憶し、前記解読処理によって解読された音声が前記相手先名であったとき、前記電話帳データ格納手段から該相手先名と関連付けて登録された前記発信番号を読み出し、該発信番号へ発信する処理を有することを特徴とする。
【００３５】
請求項２６記載の発明は、請求項２５記載の音声認識／応答型携帯電話の操作プログラムにおいて、前記電話帳データ格納手段は、前記発信番号ごとに固有の登録番号を付して登録し、前記音声パターン格納手段は、前記登録番号に係る音声と前記電話発信機能とを関連付けて記憶し、前記解読処理によって解読された音声が前記相手先名であり、かつ前記電話帳データ格納手段に該相手先名と一致する前記相手先名が複数あるとき、利用者に前記登録番号の入力を要求する処理と、前記受話手段によって利用者からの音声を受け、前記解読処理によって解読された音声が前記登録番号であったとき、前記電話帳データ格納手段から該登録番号が付された前記発信番号を読み出し、該発信番号へ発信する処理を有することを特徴とする。
【００３６】
請求項２７記載の発明は、請求項２３から２６のいずれか１項記載の音声認識／応答型携帯電話の操作プログラムにおいて、前記音声パターン格納手段は、メールの作成・編集に係る音声とメール作成・編集機能とを関連付けて記憶し、前記解読処理によって解読された音声が前記メールの作成・編集に係る音声であったとき、音声によるメールの作成・編集を受け付ける処理を有することを特徴とする。
【００３７】
請求項２８記載の発明は、請求項２７記載の音声認識／応答型携帯電話の操作プログラムにおいて、音声認識／応答型携帯電話は、前記メールの作成内容・編集内容を表示する表示手段を有し、前記解読処理によって解読された音声によるメールの作成内容・編集内容を前記表示手段に反映させる処理を有することを特徴とする。
【００３８】
請求項２９記載の発明は、請求項２７又は２８記載の音声認識／応答型携帯電話の操作プログラムにおいて、前記音声パターン格納手段は、メールの送信及び破棄に係る音声とメールの送信・破棄機能とを関連付けて記憶し、前記解読処理によって解読された音声が前記メールの送信・破棄に係る音声であったとき、前記音声によるメールの送信・破棄を受け付ける処理を有することを特徴とする。
【００３９】
請求項３０記載の発明は、請求項２３から２９のいずれか１項記載の音声認識／応答型携帯電話の操作プログラムにおいて、前記音声パターン格納手段は、メールの閲覧に係る音声とメール閲覧機能とを関連付けて記憶し、前記解読処理によって解読された音声が前記メールの閲覧に係る音声であったとき、音声によるメールの閲覧を受け付ける処理を有することを特徴とする。
【００４０】
請求項３１記載の発明は、請求項３０記載の音声認識／応答型携帯電話の操作プログラムにおいて、前記音声パターン格納手段は、受信メール及び送信メールに係る音声と前記メール閲覧機能とを関連付けて記憶し、前記解読処理によって解読された音声が前記受信メール又は前記送信メールであったとき、該受信メール又は該送信メールの一覧を表示して閲覧する送信メールの選択を要求し、選択された該受信メール又は該送信メールの閲覧を受け付ける処理を有することを特徴とする。
【００４１】
請求項３２記載の発明は、請求項３１記載の音声認識／応答型携帯電話の操作プログラムにおいて、前記音声パターン格納手段は、既読の受信メール又は未読の受信メールに係る音声と前記メール閲覧機能とを関連付けて記憶し、前記解読処理によって解読された音声が前記未読の受信メールであったとき、古い受信メールから順に該受信メールの閲覧を受け付ける処理を有することを特徴とする。
【００４２】
請求項３３記載の発明は、請求項２３から３２のいずれか１項記載の音声認識／応答型携帯電話の操作プログラムにおいて、前記音声認識／応答型携帯電話は、利用者へ音声を出力するスピーカ部を有し、閲覧を受け付けたメールの内容を前記スピーカ部から出力する処理を有することを特徴とする。
【発明の効果】
【００４３】
本発明は、携帯電話の各種操作を従来の操作方法だけではなく、携帯電話の各種機能に係る操作（電話番号入力・電話帳設定／検索・携帯電話設定・メール文字入力や送信・閲覧）を音声により操作可能とし、また、その操作結果を音声により利用者に通知することにより、携帯電話を操作する際、携帯電話の小型化により小さく操作しづらい操作キーによる操作を行わずに、音声によって電話発信、メール作成／閲覧等、様々な機能を利用することができる。また、携帯電話の機能を利用する際、利用者への要求が音声により通知されるため、視覚に難がある人でも容易に携帯電話機を利用することができる。
【発明を実施するための最良の形態】
【００４４】
以下、本発明の一実施形態に係る音声認識／応答型携帯電話の構成及び動作について説明する。
【００４５】
まず、図１を用いて本実施形態に係る音声認識／応答型携帯電話の回路構成の要部ついて説明する。
【００４６】
本実施形態に係る音声認識／応答型携帯電話１１は、ＣＰＵ２１、バス２２、ＲＯＭ２３、作業用メモリ２４、音声パターン格納メモリ２５、携帯電話各種機能２６、キー入力部２７、操作キー２８、表示制御部２９、表示部３０、音声認識制御部３１、受話部３２、発声制御部３３、スピーカ部３４、及び電話帳データ格納メモリ３５を有して構成される。
【００４７】
音声認識／応答型携帯電話１１は、ＣＰＵ（中央処理装置）２１を搭載しており、ＣＰＵ２１はバス２２を介して電話機内の各部と接続されている。ＲＯＭ２３は、ＣＰＵ２１が実行するための各種の制御用プログラムやかな文字変換等に使用される辞書等の固定的なデータを格納したメモリである。
【００４８】
作業用メモリ２４は、ＣＰＵ２１がプログラムを実行する際に一時的に必要とされる中間データを格納するメモリである。
【００４９】
音声パターン格納メモリ２５は、図８に示すように、受話部３２へ入力された利用者からの音声（又は操作キー２８によるキー操作）と、受話部３２において受信した該音声（又は操作キー２８によるキー操作）に応じて実行される携帯電話各種機能と、携帯電話各種機能の実行結果に応じてスピーカ部３４からの音声及び／又は表示部３０への表示により利用者に通知されるメッセージとを関連付けて管理するメモリである。
【００５０】
携帯電話各種機能２６は、電話やメールの受発信など携帯電話の通常機能から、携帯電話固有の各種設定機能などを行う機能である。
【００５１】
キー入力部２７は、操作キー２８からのキー入力を受け付ける入力回路である。表示制御部２９は、表示部３０の表示を制御する制御回路である。音声認識制御部３１は、受話部３２から受けた利用者が発した声をＣＰＵ２１で処理する際、ＣＰＵ２１への音声入力を制御する制御回路である。発声制御部３３は、操作結果を音声にて利用者に通知する際に、ＣＰＵ２１からの音声データを制御し、スピーカ部３４へ伝える制御回路である。
【００５２】
電話帳データ格納メモリ３５は、図９に示すように、携帯電話各種機能２６にて使用する電話帳データを格納するメモリである。電話帳データには、発信番号と相手先名とが関連付けて登録され、関連付けて登録された発信番号及び相手先名には固有の登録番号が付されている。
【００５３】
次に、本実施形態に係る音声認識／応答型携帯電話１１の動作について図２〜５を用いて説明する。
【００５４】
まず、図２を用いて音声認識／応答型携帯電話１１の利用者からの入力操作を受け付ける方法を変更する動作について説明する。
【００５５】
ＣＰＵ２１は、操作キー２８が有する「♯」キーや「＊」キー等、予め音声認識／応答型携帯電話１１に設定された入力操作変更キーの利用者による操作を待って待機する（ステップＳ２０１）。
【００５６】
利用者は、音声によって音声認識／応答型携帯電話１１を操作したい場合、入力操作変更キーを所定時間以上押下する。なお、入力操作キーが所定時間以上押下されたかどうかは、ＣＰＵ２１が判断する。
【００５７】
入力操作キーが所定時間以上押下されたと判断された場合（ステップＳ２０１／ＹＥＳ）、ＣＰＵ２１は入力操作の方法（以下、入力操作方法とする）を操作キー２８によるキー操作から音声による操作（以下、音声操作とする）へと変更する（ステップＳ２０２）。同時に、ＣＰＵ２１は、作業用メモリ２４に格納される入力操作方法の設定を操作キー２８によるキー操作から音声操作へと変更する（ステップＳ２０３）。
【００５８】
さらに、ＣＰＵ２１は、入力操作キーと関連付けて登録されるメッセージ（入力操作が操作キー２８によるキー操作から音声操作に変更された旨のメッセージ）を音声パターン格納メモリ２５から読み出し、利用者に通知する（ステップＳ２０４）。具体的には、操作方法変更機能は読み出したメッセージをスピーカ部３４からの音声及び／又は表示部３０への表示により利用者に通知する。例えば、「音声操作に切り替わりました。」をスピーカ部３４から出力、「音声操作に切り替わりました。」を表示部３０に表示する。
【００５９】
次に、ＣＰＵ２１は、実行を希望する動作の音声による入力を要求するメッセージを音声パターン格納メモリ２５から読み出し、スピーカ部３４からの音声及び／又は表示部３４への表示により利用者に問い合せる（ステップＳ２０５）。例えば、「音声操作が可能です。希望する操作をお答え下さい。」をスピーカ部３４から出力、表示部３４へ表示する。
【００６０】
なお、音声操作から操作キー２８による操作（以下、通常操作とする）に変更する際は、音声操作に設定されている状態で入力操作変更キーを所定時間以上押下する。入力操作キーが所定時間以上押下されたか否かはＣＰＵ２１が判断し、押下されたとＣＰＵ２１が判断した場合、ＣＰＵ２１は入力操作の方法を音声操作から通常操作へと変更する。さらに、ＣＰＵ２１は、音声パターン格納メモリ２５から該入力操作キーと関連付けて登録されるメッセージを読み出し、利用者に通知する。具体的には、ＣＰＵ２１は、入力操作の方法が音声操作からキー操作に変更された旨をスピーカ部３４からの音声及び／又は表示部３０への表示によりユーザに通知する。例えば、「キー操作に切り替わりました。」をスピーカ部３４から出力、「キー操作に切り替わりました。」を表示部３０に表示する。
【００６１】
次に、ＣＰＵ２１は、実行を希望する動作のキー操作による入力を要求するメッセージを読み出し、スピーカ部３４からの音声及び／又は表示部３４への表示により利用者に問い合せる。例えば、「キー操作が可能です。希望する操作を入力して下さい。」をスピーカ部３４から出力、表示部３４へ表示する。
【００６２】
入力操作がキー操作から音声操作に変更されると、利用者は希望する操作を音声により音声認識／応答型携帯電話１１に入力する（ステップＳ２０６）。音声認識／応答型携帯電話１１は、利用者からの音声を受話部３２で受け、ＣＰＵ２１は受話部３２で受信した音声を音声パターン格納メモリ２５内に格納されている音声パターンデータと照らし合わせ、該音声に対応する機能を検出し、検出した機能の実行を携帯電話各種機能２６へ要求する。
【００６３】
次に、利用者からの音声による操作の要求を受けて、電話発信する機能（以下、電話発信機能とする）を実行する場合の動作について図３を用いて説明する。
【００６４】
入力操作がキー操作から音声操作に変更され、利用者が電話発信機能の実行を要求していると判断された場合、ＣＰＵ２１は発信する電話番号をスピーカ部３４からの音声及び／又は表示部３０からの画面表示にて利用者に問い合せる（ステップＳ３０１）。なお、スピーカ部３４から利用者に問い合せる音声は、音声パターン格納メモリ２５に格納されている。ＣＰＵ２１は、該当する音声を音声パターン格納メモリ２５から抽出し、発生制御部３３を介してスピーカ部３４から出力する。
【００６５】
発信する電話番号に関する利用者への問い合せ後、ＣＰＵ２１は利用者からの音声による電話番号の回答を待って待機する。利用者からの音声を受話部３２に受けると、ＣＰＵ２１は受話部３２で受けた音声を音声パターン格納メモリ２５内に格納されている音声パターンデータと照らし合わせ、解読する（ステップＳ３０２）。利用者から入力された音声の解読に成功した場合（ステップＳ３０２／ＹＥＳ）、ＣＰＵ２１は入力された音声が発信番号又は相手先名であるか否かを判断する（ステップＳ３０３）。
【００６６】
利用者から入力された音声が発信番号であると判断された場合は（ステップＳ３０３／発信番号）、ＣＰＵ２１は該発信番号と関連付けて格納される電話発信機能を音声パターン格納メモリ２５から検出し、電話発信機能の実行を携帯電話各種機能２６に要求する。携帯電話各種機能２６は、電話発信機能により該発信番号へダイヤルし、発信する（ステップＳ３０４）。該発信番号への発信が完了すると、誤動作を防止するため、ＣＰＵ２１は入力操作変更キーによる変更を待たずに、作業用メモリ２４に格納される入力操作方法に係る設定を音声操作からキー操作へと変更する。その際、ＣＰＵ２１は、入力操作方法が変更された旨を表示部３０に表示して利用者に通知する（ステップＳ３０５）。
【００６７】
一方、利用者から入力された音声が相手先名であると判断された場合は（ステップＳ３０３／相手先名）、ＣＰＵ２１は電話帳データ格納メモリ３５内に登録されている電話帳データ３５から該当する相手先を検索し（ステップＳ３０６）、入力された相手先と一致する相手先があるか否かを判断する（ステップＳ３０７）。
【００６８】
入力された相手先と一致する相手先がない場合は（ステップＳ３０７／ＮＯ）、ＣＰＵ２１は再び発信する電話番号をスピーカ部３４からの音声及び／又は表示部３０からの画面表示にて利用者に問い合せる（ステップＳ３０１）。
【００６９】
入力された相手先と一致する相手先が検索された場合は（ステップＳ３０７／ＹＥＳ）、一致する相手先が複数あるか否かを判断する（ステップＳ３０８）。一致する相手先等が１つであった場合は（ステップＳ３０８／ＮＯ）、ＣＰＵ２１は電話帳データ３５において該相手先と関連付けて登録されている発信番号を読み出す。次に、ＣＰＵ２１は該発信番号と関連付けて格納される電話発信機能を音声パターン格納メモリ２５から検出し、電話発信機能の実行を携帯電話各種機能２６に要求する。携帯電話各種機能２６は、電話発信機能により該発信番号へダイヤルし、発信する（ステップＳ３０９）。該発信番号への発信が完了すると、誤動作を防止するため、ＣＰＵ２１は入力操作変更キーによる変更を待たずに、作業用メモリ２４に格納される入力操作方法に係る設定を音声操作からキー操作へと変更する。その際、ＣＰＵ２１は、入力操作方法が変更された旨を表示部３０に表示して利用者に通知する（ステップＳ３０５）。
【００７０】
一致する相手先が複数あった場合（ステップＳ３０８／ＹＥＳ）、ＣＰＵ２１は相手先の選択をスピーカ部３４からの音声及び／又は表示部３０への画面表示にて利用者に要求し、複数の相手先のうち発信を希望する相手先に付された登録番号が音声により入力されるのを待って待機する（ステップＳ３１０）。利用者から登録番号に係る音声が受話部３２に入力されると、ＣＰＵ２１は受話部３２で受けた音声を音声パターン格納メモリ２５内に格納されている音声パターンデータに照らし合わせ、解読する（ステップＳ３１１）。利用者から入力された音声の解読に成功した場合（ステップＳ３１１／ＹＥＳ）、ＣＰＵ２１は電話帳データ３５において該登録番号と関連付けて登録されている発信番号を読み出す。次に、ＣＰＵ２１は該発信番号と関連付けて格納される電話発信機能を音声パターン格納メモリ２５から検出し、電話発信機能の実行を携帯電話各種機能２６に要求する。携帯電話各種機能２６は、電話発信機能により該発信番号へダイヤルし、発信する（ステップＳ３０９）。該発信番号への発信が完了すると、誤動作を防止するため、ＣＰＵ２１は入力操作変更キーによる変更を待たずに、作業用メモリ２４に格納される入力操作方法に係る設定を音声操作からキー操作へと変更する。その際、ＣＰＵ２１は、入力操作方法が変更された旨を表示部３０に表示して利用者に通知する（ステップＳ３０５）。
【００７１】
一方、利用者から入力された音声を解読できなかった場合は（ステップＳ３１１／ＮＯ）、ＣＰＵ２１は再び相手先の選択をスピーカ部３４からの音声及び／又は表示部３０への画面表示にて利用者に要求し、利用者からの音声による登録番号の入力を待って待機する（ステップＳ３１０）。
【００７２】
次に、利用者からの音声によるメール機能の利用要求を受けて、メールの作成、編集、閲覧等を行う場合の動作について図４を用いて説明する。
【００７３】
入力操作がキー操作から音声操作に変更され、利用者がメール機能の利用を要求していると判断された場合、ＣＰＵ２１はメール機能が有するメールの作成、編集、閲覧等、利用したいメール機能の選択をスピーカ部３４からの音声及び／又は表示部３０からの画面表示にて利用者に問い合せる（ステップＳ４０１）。なお、スピーカ部３４から利用者に問い合せる音声は、音声パターン格納メモリ２５に格納されている。ＣＰＵ２１は、該当する音声を音声パターン格納メモリ２５から抽出し、発生制御部３３を介してスピーカ部３４から出力する。
【００７４】
利用したいメール機能の選択に関する利用者への問い合わせ後、ＣＰＵ２１は利用者からの音声によるメール機能の選択の回答を待って待機する。利用者からの音声を受話部３２に受けると、ＣＰＵ２１は受話部３２で受けた音声を音声パターン格納メモリ２５内に格納されている音声パターンデータに照らし合わせ、解読する（ステップＳ４０２）。ＣＰＵ２１は、利用者から入力された音声の解読に成功した場合（ステップＳ４０２／ＹＥＳ）、入力された音声がメール作成又はメール閲覧であるか否かを判断する（ステップＳ４０３）。
【００７５】
利用者から入力された音声がメール作成であった場合（ステップＳ４０３／メール作成）、ＣＰＵ２１は音声パターンデータにおいてメール作成と関連付けて格納される機能（メール作成機能）を検出し、メール作成機能の実行を携帯電話各種機能２６へ要求する。ＣＰＵ２１は、メール作成機能を利用して表示部３０にメール作成画面を表示し、メールの編集を行うか否かをスピーカ部３４からの音声により利用者に問い合せ、利用者からの音声を待って待機する（ステップＳ４０４）。
【００７６】
利用者からメールの編集の有無に係る音声を受話部３２によって受けると、ＣＰＵ２１は受話部３２で受けた音声を音声パターン格納メモリ２５内に格納されている音声パターンデータと照らし合わせ、利用者からの音声を解読する（ステップＳ４０５）。利用者からの回答を解読することができなかった場合は（ステップＳ４０５／ＮＯ）、ＣＰＵ２１は、メール作成機能を利用して表示部３０にメール作成画面を表示し、再度、編集を行うか否かをスピーカ部３４からの音声により利用者に問い合せる（ステップＳ４０４）。
【００７７】
一方、利用者からの音声の解読に成功した場合は（ステップＳ４０５／ＹＥＳ）、ＣＰＵ２１はメールの作成内容／編集内容の入力を待って待機する（ステップＳ４０６）。利用者からメールの作成内容／編集内容が入力されると（ステップＳ４０６／ＹＥＳ）、ＣＰＵ２１は受話部３２で受けた音声を音声パターン格納メモリ２５内に格納されている音声パターンデータと照らし合わせ、利用者からの音声を解読する（ステップＳ４０７）。利用者からの音声を解読することができなかった場合は（ステップＳ４０７／ＮＯ）、ＣＰＵ２１は、再び表示部３０にメール作成画面を表示し、作成／編集を行うか否かをスピーカ部３４からの音声により利用者に問い合せる（ステップＳ４０４）。
【００７８】
一方、利用者からの音声を解読することができた場合は（ステップＳ４０７／ＹＥＳ）、ＣＰＵ２１はメール作成機能を利用して音声により入力されたメールの作成内容／編集内容を表示部３０の表示画面に反映させる（ステップＳ４０８）。さらに、メールの編集を継続するか否かをスピーカ部３４からの音声により利用者に問い合せる（ステップＳ４０４）。
【００７９】
メールの作成／編集の有無に係る利用者への問い合せ後（ステップＳ４０４）、該問い合せに対する音声の解読に成功すると（ステップＳ４０５／ＹＥＳ）、ＣＰＵ２１はメールの作成内容／編集内容の入力を待って待機する（ステップＳ４０６）。利用者からメールの作成内容／編集内容が入力されなかった場合は（ステップＳ４０６／ＮＯ）、ＣＰＵ２１は作成／編集したメールを送信するか、破棄するかをスピーカ部３４からの音声により利用者に問い合せる（ステップＳ４０９）。
【００８０】
利用者からのメールの送信又は破棄に係る音声を受話部３２によって受けると、ＣＰＵ２１は受話部３２で受けた音声を音声パターン格納メモリ２５内に格納されている音声パターンデータと照らし合わせ、利用者からの音声を解読する（ステップＳ４１０）。利用者からの音声を解読することができなかった場合は（ステップＳ４１０／ＮＯ）、ＣＰＵ２１は作成／編集したメールを送信するか、破棄するかをスピーカ部３４からの音声により利用者に再度問い合せる（ステップＳ４０９）。
【００８１】
一方、利用者からの音声を解読することができた場合は（ステップＳ４１０／ＹＥＳ）、ＣＰＵ２１は利用者からの音声がメールの送信又は破棄かを判断する（ステップＳ４１１）。利用者からの回答がメールの送信であった場合（ステップＳ４１１／送信）、ＣＰＵ２１はメール作成機能を利用して作成／編集されたメールを送信先に送信する（ステップＳ４１２）。一方、利用者からの音声がメールの破棄であった場合（ステップＳ４１１／破棄）、ＣＰＵ２１はメール作成機能を利用して作成／編集されたメールを破棄する（ステップＳ４１３）。
【００８２】
次に、図４に示すステップＳ４０３において入力された音声がメール閲覧であった場合（ステップＳ４０３／メール閲覧）の動作について、図５を用いて説明する。
【００８３】
ステップＳ４０３において入力された音声がメール閲覧であった場合（ステップＳ４０３／メール閲覧）、ＣＰＵ２１は利用者がメール閲覧を希望していると判断し、閲覧するメールが受信メールか、送信メールかをスピーカ部３４からの音声にて利用者に問い合せる（ステップＳ５０１）。なお、スピーカ部３４から利用者に問い合せる音声は、音声パターン格納メモリ２５に格納されている。ＣＰＵ２１は、該当する音声を音声パターン格納メモリ２５から抽出し、発生制御部３３を介してスピーカ部３４から出力する。
【００８４】
利用者から音声により閲覧するメールの選択に係る音声が受話部３２から入力されると、ＣＰＵ２１は受話部３２で受けた音声を音声パターン格納メモリ２５内に格納されている音声パターンデータと照らし合わせ、利用者からの音声を解読する（ステップＳ５０２）。利用者からの音声を解読することができなかった場合は（ステップＳ５０２／ＮＯ）、ＣＰＵ２１は、再びスピーカ部３４からの音声により閲覧するメールの選択を利用者に問い合せる（ステップＳ５０１）。
【００８５】
一方、利用者からの音声を解読することができた場合は（ステップＳ５０２／ＹＥＳ）、ＣＰＵ２１は、利用者が選択したメールが受信メール又は送信メールかを判断する（ステップＳ５０３）。利用者が選択したメールが受信メールであった場合は（ステップＳ５０３／受信メール）、ＣＰＵ２１は音声パターンデータにおいて受信メールと関連付けて格納される機能（メール閲覧機能）を検出し、メール閲覧機能の実行を携帯電話各種機能２６へ要求する。ＣＰＵ２１は、メール閲覧機能を利用して受信メールの一覧を表示部３０の表示画面に表示させる（ステップＳ５０４）。それと同時に、ＣＰＵ２１は閲覧した受信メールが未読か、既読かをスピーカ部３４からの音声により利用者に問い合せる（ステップＳ５０５）。
【００８６】
閲覧する受信メールが未読か、既読かを選択する音声が受話部３２から入力されると、ＣＰＵ２１は受話部３２で受けた音声を音声パターン格納メモリ２５内に格納されている音声パターンデータと照らし合わせ、利用者からの音声を解読する（ステップＳ５０６）。利用者からの音声を解読することができなかった場合は（ステップＳ５０６／ＮＯ）、ＣＰＵ２１は再びスピーカ部３４からの音声により閲覧する受信メールが未読か、既読かをスピーカ部３４からの音声により利用者に問い合せる（ステップＳ５０５）。一方、利用者からの音声を解読することができた場合は（ステップＳ５０６／ＹＥＳ）、ＣＰＵ２１は利用者が閲覧を希望する受信メールが未読又は既読かを判断する（ステップＳ５０７）。
【００８７】
利用者が閲覧を希望する受信メールが既読と判断された場合（ステップ５０７／既読）、ＣＰＵ２１はメール閲覧機能を利用して既読の受信メールの一覧を表示部３０の表示画面に表示させる。利用者は、表示部３０の表示画面に表示された受信メールの一覧から閲覧したいメールを、操作キー２８を操作することにより選択する（ステップＳ５０９）。選択されたメールはスピーカ部３４からの音声で利用者に伝えられる（Ｓ５１０）。
【００８８】
利用者が選択したメールが送信メールであった場合は（ステップＳ５０３／送信メール）、ＣＰＵ２１はメール閲覧機能を利用して送信メールの一覧を表示部３０の表示画面に表示させる（ステップＳ５０８）。利用者は、表示部３０の表示画面に表示された送信メールの一覧から閲覧したいメールを、操作キー２８を操作することにより選択する（ステップＳ５０９）。選択されたメールはスピーカ部３４からの音声で利用者に伝えられる（Ｓ５１０）。
【００８９】
次に、図６を用いて、図５のステップＳ５０７において閲覧を希望する受信メールが未読であると判断された場合（ステップＳ５０７／未読）、及びステップＳ５１０においてスピーカ部３４からの音声でメールが利用者に伝えられた後の動作について説明する。
【００９０】
図５のステップＳ５０７において閲覧を希望する受信メールが未読であると判断された場合は（ステップＳ５０７／ＹＥＳ）、ＣＰＵ２１はメール閲覧機能を利用して未読の受信メールのうち受信時刻が古いものから順にスピーカ部３４からの音声にて利用者に伝える（ステップＳ６０１）。
【００９１】
スピーカ部３４からの音声によるメールの出力が完了すると（ステップＳ６０１、ステップＳ５１０）、ＣＰＵ２１はメール閲覧を再度希望するか否かをスピーカ部３４からの音声により利用者に問い合せる（ステップＳ６０２）。メール閲覧を再度希望するか否かを選択する音声が受話部３２から入力されると、ＣＰＵ２１は受話部３２で受けた音声を音声パターン格納メモリ２５内に格納されている音声パターンデータと照らし合わせ、利用者からの音声を解読する（ステップＳ６０３）。利用者からの音声を解読することができなかった場合は（ステップＳ６０３／ＮＯ）、ＣＰＵ２１は再びスピーカ部３４からの音声によりメールの閲覧を再度希望するか否かを利用者に問い合せる（ステップＳ６０２）。一方、利用者からの音声を解読することができた場合は（ステップＳ６０３／ＹＥＳ）、ＣＰＵ２１は利用者がメール閲覧を再度希望しているか否かを判断する（ステップＳ６０４）。
【００９２】
利用者がメールの閲覧を再度希望していると判断された場合は（ステップＳ６０４／ＹＥＳ）、図５に示すステップＳ５０１に戻り、ＣＰＵ２１は利用者がメールの閲覧を希望していると判断し、閲覧するメールが受信メールか、送信メールかをスピーカ部３４からの音声にて利用者に問い合せる（ステップＳ５０１）。一方、利用者がメールの閲覧を再度希望していない場合は（ステップＳ６０４／ＮＯ）、メールの閲覧動作は終了する。
【００９３】
次に、図７を用いて利用者が使用を希望する音声認識／応答型携帯電話の機能の選択を受け付ける動作について説明する。
【００９４】
まず、ＣＰＵ２１はスピーカ部３４からの音声により音声認識／応答型携帯電話が有するどの機能の利用を希望するのかを利用者に問い合せる（ステップＳ７０１）。利用を希望する機能に係る音声が受話部３２から入力されると、ＣＰＵ２１は受話部３２で受けた音声を音声パターン格納メモリ２５内に格納されている音声パターンデータと照らし合わせ、利用者からの音声を解読する（ステップＳ７０２）。利用者からの音声を解読することができなかった場合は（ステップＳ７０２／ＮＯ）、ＣＰＵ２１はスピーカ部３４からの音声により音声認識／応答型携帯電話が有するどの機能の利用を希望するのかを利用者に再度問い合せる（ステップＳ７０１）。一方、利用者からの音声を解読することができた場合は（ステップＳ７０２／ＹＥＳ）、ＣＰＵ２１は利用者が利用を希望する機能を判断し、該機能の処理へと移行する（ステップＳ７０３）。なお、各機能の処理は、図３〜６を用いて説明した処理と同様である。
【００９５】
各機能による動作（図３〜６に示す）が終了すると、ＣＰＵ２１は引き続き利用を希望する機能があるか否かをスピーカ部３４からの音声により利用者に問い合せ、利用者からの音声を待って待機する（ステップＳ７０４）。利用者からの音声が入力されなかった場合は（ステップＳ７０４／ＮＯ）、利用者が希望した音声認識／応答型携帯電話が有する機能の利用は終了する。
【００９６】
一方、引き続き利用を希望する機能に係る音声が受話部３２から入力されると（ステップＳ７０４／ＹＥＳ）、ＣＰＵ２１は受話部３２で受けた音声を音声パターン格納メモリ２５内に格納されている音声パターンデータと照らし合わせ、利用者からの音声を解読する（ステップＳ７０５）。利用者からの音声を解読することができなかった場合は（ステップＳ７０５／ＮＯ）、ＣＰＵ２１はスピーカ部３４からの音声により音声認識／応答型携帯電話が有するどの機能の利用を希望するのかを利用者に再度問い合せる（ステップＳ７０４）。一方、利用者からの音声を解読することができた場合は（ステップＳ７０５／ＹＥＳ）、ＣＰＵ２１は利用者が利用を希望する機能を判断し、該機能の処理へと再度移行する（ステップＳ７０３）。
【００９７】
上記の構成によれば、携帯電話を操作する際、携帯電話の小型化により小さく操作しづらい操作キーによる操作を行わずに、音声によって電話発信、メール作成／閲覧等、様々な機能を利用することができる。また、携帯電話の機能を利用する際、利用者への要求が音声により通知されるため、視覚に難がある人でも容易に携帯電話機を利用することができる。
【図面の簡単な説明】
【００９８】
【図１】本実施形態に係る音声認識／応答型携帯電話の回路構成を示すブロック図である。
【図２】音声認識／応答型携帯電話の利用者からの入力操作を受け付ける方法を変更する動作のフローチャートである。
【図３】音声により音声認識／応答型携帯電話を操作し、相手先の電話番号へ発信する動作のフローチャートである。
【図４】音声により音声認識／応答型携帯電話を操作し、相手先へメールを送信する動作のフローチャートである。
【図５】音声により音声認識／応答型携帯電話を操作し、メールを閲覧する動作のフローチャートである。
【図６】音声により音声認識／応答型携帯電話を操作し、メールを閲覧する動作のフローチャートである。
【図７】音声認識／応答型携帯電話が有する機能の利用を受け付ける動作のフローチャートである。
【図８】音声パターン格納メモリの構成を示す図である。
【図９】電話帳データ格納メモリの構成を示す図である。
【符号の説明】
【００９９】
１１    音声認識／応答型携帯電話
２１    ＣＰＵ
２２    バス
２３    ＲＯＭ
２４    作業用メモリ
２５    音声パターン格納メモリ
２６    携帯電話各種機能
２７    キー入力部
２８    操作キー
２９    表示制御部
３０    表示部
３１    音声認識制御部
３２    受話部
３３    発生制御部
３４    スピーカ部
３５    電話帳データ格納メモリ
【図１】
2008053937.tif 000003
【図２】
2008053937.tif 000004
【図３】
2008053937.tif 000005
【図４】
2008053937.tif 000006
【図５】
2008053937.tif 000007
【図６】
2008053937.tif 000008
【図７】
2008053937.tif 000009
【図８】
2008053937.tif 000010
【図９】
2008053937.tif 000011